(57)【要約】【課題】ＲＲＨの小型化および軽量化を可能とする。【解決手段】ＲＲＨ２０は、電源装置２００と、ＡＩＳＧインターフェイス２０１と、ＰＡ２０５と、制御部３１とを有する。ＰＡ２０５は、第１の電圧または第１の電圧よりも低い第２の電圧の電源で動作し、送信信号を増幅する。ＡＩＳＧインターフェイス２０１は、第２の電圧の電源で動作するアンテナ制御装置１５に接続される。電源装置２００は、ＰＡ２０５に電源を供給すると共に、ＡＩＳＧインターフェイス２０１を介してアンテナ制御装置１５に電源を供給する。制御部３１は、アンテナ制御装置１５が動作する際に、電源装置２００に、第２の電圧の電源を生成させてＰＡ２０５およびアンテナ制御装置１５に供給させると共に、第２の電圧の電源で動作するＰＡ２０５から出力される送信信号の電力を増加させる制御を行う。【選択図】図２
2016225921.tif 000002
【特許請求の範囲】
【請求項１】
第１の電圧または前記第１の電圧よりも低い第２の電圧の電源で動作し、送信信号を増幅するパワーアンプと、
前記第２の電圧の電源で動作する外部機器に接続される機器インターフェイスと、
前記パワーアンプに電源を供給すると共に、前記機器インターフェイスを介して前記外部機器に電源を供給する電源装置と、
前記外部機器が動作する際に、前記電源装置に指示して、前記パワーアンプおよび前記外部機器に対して前記第２の電圧の電源を共通に生成させ、生成させた第２の電圧の電源を、前記パワーアンプおよび前記外部機器に供給させると共に、前記第２の電圧の電源で動作する前記パワーアンプから出力される送信信号の電力を増加させる制御を行う制御部と
を有することを特徴とする光張出無線装置。
【請求項２】
前記制御部は、
前記外部機器が動作する際に、前記パワーアンプに入力される送信信号を生成する生成部に指示して送信信号を増幅させる制御、および、前記パワーアンプの利得を増加させる制御のうち、少なくともいずれか一方を行うことを特徴とする請求項１に記載の光張出無線装置。
【請求項３】
前記制御部は、
前記外部機器が動作する際に、前記パワーアンプから出力された送信信号の電力が所定電力以下であれば、前記電源装置に指示して、前記パワーアンプおよび前記外部機器に対して前記第２の電圧の電源を共通に生成させることを特徴とする請求項１または２に記載の光張出無線装置。
【請求項４】
前記制御部は、
前記外部機器が動作する際に、前記電源装置に指示して、前記パワーアンプに供給している電源の電圧を、前記第１の電圧から前記第２の電圧まで所定時間毎に所定電圧ずつ低下させることにより前記第２の電圧の電源を生成させることを特徴とする請求項１または２に記載の光張出無線装置。
【請求項５】
前記制御部は、
前記パワーアンプから出力される送信信号の電力を増加させる制御において、前記パワーアンプから出力された送信信号の電力を監視し、前記パワーアンプから出力された送信信号のうち、帯域外の信号の電力が所定の閾値以下となる範囲で、前記パワーアンプから出力される送信信号の電力を増加させることを特徴とする請求項１から４のいずれか一項に記載の光張出無線装置。
【請求項６】
前記パワーアンプを有し、それぞれが別々の送信信号を送信可能な複数の送信部と、
送信信号をそれぞれの前記送信部へ入力する分配部と、
それぞれの前記送信部からの出力を合成して送信する合成部と
を有し、
前記電源装置は、それぞれの前記送信部に含まれる前記パワーアンプに共通の電源を供給し、
前記制御部は、
前記外部機器が動作する際に、送信信号を、前記分配部を介してそれぞれの送信部に入力し、それぞれの前記送信部からの出力を前記合成部に合成させて送信させることを特徴とする請求項１に記載の光張出無線装置。
【請求項７】
前記制御部は、
前記光張出無線装置に上位装置から前記外部機器への電源供給を指示するメッセージを受信した場合に、ダミー応答を返し、前記上位装置から前記外部機器を制御するメッセージを受信した場合に、前記電源装置に指示して、前記パワーアンプおよび前記外部機器に対して前記第２の電圧の電源を共通に供給させ、前記外部機器を制御するメッセージに応じた制御を前記外部機器が完了した後に、前記電源装置に指示して、前記外部機器への電源供給を停止させると共に、前記第１の電圧の電源を前記パワーアンプに供給させることを特徴とする請求項１から６のいずれか一項に記載の光張出無線装置。
【発明の詳細な説明】
【技術分野】
【０００１】
本発明は、光張出無線装置に関する。
【背景技術】
【０００２】
近年、移動通信システムにおいて、基地局装置をＢＢＵ（Base  Band  Unit）とＲＲＨ（Remote  Radio  Head）との２つの装置で構成する分離型の基地局装置が広く普及している。ここで、ＢＢＵとは、上位コアネットワークとの接続およびベースバンド処理を行う装置である。
【０００３】
ＲＲＨとは、アナログ信号の増幅等を行って移動端末との間で無線接続を行う装置であり、光張出無線装置とも呼ばれる。ＲＲＨは、ＢＢＵに光ファイバを介して接続され、２０ｋｍ以上の張出しが可能となっている。また、ＲＲＨは、アンテナのチルト制御や状態監視等行うアンテナ制御装置に接続されている。ＲＲＨとアンテナ制御装置とは、ＡＩＳＧ（Antenna  Interface  Standards  Group）で規定される標準規格に準拠したＡＩＳＧインターフェイスを介して接続される場合が多い。ＡＩＳＧインターフェイスでは、保守管理用のＯＡＭ（Operations  Administration  Maintenance）信号の他に、アンテナ制御装置の電源として所定の電圧（例えば＋２４Ｖ±３Ｖ）を供給するように規定されている。
【０００４】
また、ＲＲＨには、送信信号を増幅するためのパワーアンプが含まれている。パワーアンプの電源の電圧は、アンテナ制御装置の電源の電圧よりも高い場合が多い。そのため、ＲＲＨには、パワーアンプ用の電圧の電源を生成する電源装置と、アンテナ制御装置用の電圧の電源を生成する電源装置とが別々に搭載される。
【先行技術文献】
【特許文献】
【０００５】
【特許文献１】特開２００１−３３２９８５号公報
【特許文献２】特開２０１３−２６８９２号公報
【発明の概要】
【発明が解決しようとする課題】
【０００６】
ところで、アンテナ制御装置は、隣接する基地局装置が故障した場合のエリア補間等で動作する場合がある。しかし、基地局装置の故障はそれほど頻繁に発生しないため、アンテナ制御装置の動作頻度は、数か月に１回、数分程度と、極めて低い。使用頻度が低いにもかかわらず、ＲＲＨは、アンテナ制御装置用の電源装置を搭載しているため、装置の小型化および軽量化の阻害要因となっている。
【０００７】
パワーアンプ用の電源と、アンテナ制御装置用の電源とを１つの電源装置から共通に生成することも考えられる。しかし、パワーアンプはアンテナ制御装置用の電源よりも高い電圧の電源で動作するため、アンテナ制御装置用の電圧の電源をパワーアンプに供給した場合、パワーアンプの利得や歪特性等の性能を十分に引き出すことが困難になる。
【０００８】
本願に開示の技術は、ＲＲＨの小型化および軽量化を可能とする。
【課題を解決するための手段】
【０００９】
１つの側面では、光張出無線装置は、パワーアンプと、機器インターフェイスと、電源装置と、制御部とを有する。パワーアンプは、第１の電圧または第１の電圧よりも低い第２の電圧の電源で動作し、送信信号を増幅する。機器インターフェイスは、第２の電圧の電源で動作する外部機器に接続される。電源装置は、パワーアンプに電源を供給すると共に、機器インターフェイスを介して外部機器に電源を供給する。制御部は、外部機器が動作する際に、電源装置に指示して、パワーアンプおよび外部機器に対して第２の電圧の電源を共通に生成させ、生成させた第２の電圧の電源を、パワーアンプおよび外部機器に供給させる。また、制御部は、外部機器が動作する際に、第２の電圧の電源で動作するパワーアンプから出力される送信信号の電力を増加させる制御を行う。
【発明の効果】
【００１０】
１実施形態によれば、光張出無線装置の小型化および軽量化が可能となる。
【図面の簡単な説明】
【００１１】
【図１】図１は、基地局システムの一例を示すブロック図である。
【図２】図２は、実施例１におけるＲＲＨの一例を示すブロック図である。
【図３】図３は、実施例１における基地局システムの動作の一例を示すシーケンス図である。
【図４】図４は、実施例２におけるＲＲＨの一例を示すブロック図である。
【図５】図５は、実施例２においてＰＡから出力された信号のスペクトラムの一例を示す図である。
【図６】図６は、実施例２における基地局システムの動作の一例を示すシーケンス図である。
【図７】図７は、実施例３におけるＲＲＨの一例を示すブロック図である。
【図８】図８は、実施例３のＲＲＨが実行する電源電圧の変更処理の一例を示すフローチャートである。
【図９】図９は、実施例４のＲＲＨが実行する電源電圧の変更処理の一例を示すフローチャートである。
【図１０】図１０は、実施例４における電源電圧の変化の一例を示す図である。
【図１１】図１１は、実施例５におけるＲＲＨの一例を示すブロック図である。
【図１２】図１２は、実施例５のＲＲＨが実行する電源電圧の変更処理の一例を示すフローチャートである。
【図１３】図１３は、実施例５においてＰＡから出力された信号のスペクトラムの一例を示す図である。
【図１４】図１４は、実施例６におけるＲＲＨの一例を示すブロック図である。
【図１５】図１５は、実施例７におけるＲＲＨの一例を示すブロック図である。
【発明を実施するための形態】
【００１２】
以下に、本願の開示する光張出無線装置の実施例を、図面に基づいて詳細に説明する。なお、以下の実施例は開示の技術を限定するものではない。そして、各実施例は、処理内容を矛盾させない範囲で適宜組み合わせることが可能である。
【実施例１】
【００１３】
［基地局システム１０］
図１は、基地局システム１０の一例を示すブロック図である。基地局システム１０は、例えばセルラー方式のデジタル携帯電話システムに用いられる基地局システムであって、ＢＢＵ１２、アンテナ制御装置１５、アンテナ１６、およびＲＲＨ２０を有する。なお、図１に例示した基地局システム１０では、ＢＢＵ１２に１つのＲＲＨ２０が接続されているが、ＢＢＵ１２には、２つ以上のＲＲＨ２０が接続されていてもよい。
【００１４】
ＢＢＵ１２は、コアネットワーク１１に接続され、コアネットワーク１１から受信した送信データに対して符号化等のベースバンド処理を行い、処理後の送信信号を、光ファイバケーブル１３を介してＲＲＨ２０へ送信する。また、ＢＢＵ１２は、光ファイバケーブル１３を介してＲＲＨ２０から受信した受信信号に対して復号化等のベースバンド処理を行い、処理後の受信データをコアネットワーク１１へ送信する。
【００１５】
また、ＢＢＵ１２は、コアネットワーク１１を介してアンテナ制御装置１５の制御を指示するメッセージを受信した場合に、受信したメッセージを、光ファイバケーブル１３を介してＲＲＨ２０へ送信する。また、ＢＢＵ１２は、ＲＲＨ２０からアンテナ制御装置１５の制御を指示するメッセージに対する応答を示すメッセージや、アンテナ制御装置１５のステータスを示すメッセージを受信した場合、受信したメッセージをコアネットワーク１１へ送信する。
【００１６】
ＲＲＨ２０は、局舎１４から供給された電源によって動作する。ＲＲＨ２０は、光ファイバケーブル１３を介してＢＢＵ１２から受信したベースバンドの送信信号に対して高周波帯の周波数へのアップコンバートや増幅等の処理を行い、処理後の送信信号をアンテナ１６から送信する。また、ＲＲＨ２０は、アンテナ１６を介して受信した高周波帯の周波数の受信信号に対して増幅やベースバンドへのダウンコンバート等の処理を行い、処理後の受信信号を光ファイバケーブル１３を介してＢＢＵ１２へ送信する。
【００１７】
また、ＲＲＨ２０は、ＢＢＵ１２からアンテナ制御装置１５の制御を指示するメッセージを受信した場合に、アンテナ制御装置１５に所定電圧の電源を供給すると共に、受信したメッセージをアンテナ制御装置１５へ転送する。そして、転送されたメッセージに応じた制御をアンテナ制御装置１５が完了した後に、ＲＲＨ２０は、アンテナ制御装置１５への電源供給を停止し、ＢＢＵ１２に制御の完了を示す応答を返す。
【００１８】
アンテナ制御装置１５は、ＲＲＨ２０から送信されたメッセージが示す制御指示に応じて、アンテナ１６のチルト制御や状態監視等行う。本実施例において、ＲＲＨ２０とアンテナ制御装置１５とは、ＡＩＳＧで規定される標準規格に準拠したＡＩＳＧインターフェイスを介して接続される。アンテナ制御装置１５は、ＡＩＳＧインターフェイスを介してＲＲＨ２０から供給された所定電圧（例えば＋２４Ｖ±３Ｖ）の電源で動作する。
【００１９】
［ＲＲＨ２０］
図２は、実施例１におけるＲＲＨ２０の一例を示すブロック図である。本実施例におけるＲＲＨ２０は、電源装置２００、ＡＩＳＧインターフェイス２０１、ＣＰＲＩ（Common  Public  Radio  Interface）２０２、およびデジタル処理部３０を有する。また、本実施例におけるＲＲＨ２０は、ＤＡＣ（Digital  to  Analog  Converter）２０３、送信回路２０４、ＰＡ（Power  Amplifier）２０５、およびＤＵＰ（DUPlexer）２０６を有する。また、本実施例におけるＲＲＨ２０は、ＬＮＡ（Low  Noise  Amplifier）２０７、受信回路２０８、およびＡＤＣ（Analog  to  Digital  Converter）２０９を有する。
【００２０】
電源装置２００は、局舎１４から供給された電源（例えば−４８ＶＤＣ）を用いて、第１の電圧（例えば＋２８Ｖ〜＋５０Ｖ）の電源を生成し、生成した第１の電圧の電源をＰＡ２０５に供給する。また、電源装置２００は、デジタル処理部３０からアンテナ制御装置１５への電源供給を指示された場合に、ＰＡ２０５およびアンテナ制御装置１５に対して、第２の電圧（例えば＋２４Ｖ）の電源を共通に生成する。そして、電源装置２００は、生成した第２の電圧の電源を、ＰＡ２０５およびＡＩＳＧインターフェイス２０１に供給する。
【００２１】
また、電源装置２００は、デジタル処理部３０からアンテナ制御装置１５への電源供給の停止を指示された場合に、ＡＩＳＧインターフェイス２０１への電源供給を停止する。そして、電源装置２００は、第１の電圧の電源を再び生成し、生成した第１の電圧の電源をＰＡ２０５に供給する。
【００２２】
ＡＩＳＧインターフェイス２０１は、電源装置２００から供給された第２の電圧の電源をアンテナ制御装置１５に供給する。また、ＡＩＳＧインターフェイス２０１は、デジタル処理部３０から送信された、アンテナ制御装置１５の制御を指示するメッセージを、アンテナ制御装置１５へ送信する。また、ＡＩＳＧインターフェイス２０１は、アンテナ制御装置１５から送信された、制御指示に対する応答等のメッセージを、デジタル処理部３０へ送信する。
【００２３】
ＣＰＲＩ２０２は、光ファイバケーブル１３を介してＢＢＵ１２から送信された光信号を電気信号に変換してデジタル処理部３０へ出力する。また、ＣＰＲＩ２０２は、デジタル処理部３０およびＡＤＣ２０９から出力された電気信号を光信号に変換して光ファイバケーブル１３を介してＢＢＵ１２へ送信する。
【００２４】
デジタル処理部３０は、制御部３１および分離部３２を有する。分離部３２は、ＣＰＲＩ２０２を介してＢＢＵ１２から受信した信号から、送信信号と、アンテナ制御装置１５の制御に関するメッセージとを分離する。そして、分離部３２は、アンテナ制御装置１５の制御に関するメッセージを制御部３１へ出力し、送信信号をＤＡＣ２０３へ出力する。
【００２５】
制御部３１は、分離部３２からアンテナ制御装置１５の制御に関するメッセージを受け取った場合に、受け取ったメッセージがアンテナ制御装置１５への電源供給開始または電源供給停止を指示するメッセージか否かを判定する。分離部３２から受け取ったメッセージがアンテナ制御装置１５への電源供給開始または電源供給停止を指示するメッセージである場合、制御部３１は、ダミーの応答をＣＰＲＩ２０２を介してＢＢＵ１２へ送信する。
【００２６】
一方、分離部３２から受け取ったメッセージがアンテナ制御装置１５への電源供給開始または電源供給停止を指示するメッセージではない場合、制御部３１は、電源装置２００に第２の電圧の電源の生成を指示する。そして、制御部３１は、分離部３２から受け取った制御指示を示すメッセージを、ＡＩＳＧインターフェイス２０１を介してアンテナ制御装置１５へ送信する。
【００２７】
また、制御部３１は、ＡＩＳＧインターフェイス２０１を介して、アンテナ１６の制御が終了したことを示す応答メッセージをアンテナ制御装置１５から受信した場合、電源装置２００にアンテナ制御装置１５への電源供給の停止を指示する。そして、制御部３１は、電源装置２００に第１の電圧の電源の生成を指示する。そして、制御部３１は、アンテナ制御装置１５から受信したメッセージをＣＰＲＩ２０２を介してＢＢＵ１２へ送信する。
【００２８】
デジタル処理部３０は、例えば通信プロセッサとメモリによって実現される。通信プロセッサの一例としては、ＣＰＵ（Central  Processing  Unit）、ＤＳＰ（Digital  Signal  Processor）、ＦＰＧＡ（Field  Programmable  Gate  Array）等が挙げられる。メモリの一例としては、ＳＤＲＡＭ（Synchronous  Dynamic  Random  Access  Memory）等のＲＡＭ、ＲＯＭ（Read  Only  Memory）、フラッシュメモリ等が挙げられる。
【００２９】
デジタル処理部３０が有する各種処理機能は、例えば、通信プロセッサが、不揮発性記憶媒体などの各種メモリに格納されたプログラムを読み込んで実行することによって実現される。なお、デジタル処理部３０が有する各種処理機能を複数のプロセッサにそれぞれ分散配置し、複数のプロセッサが連係動作することにより、デジタル処理部３０が有する各種処理機能を実現するようにしてもよい。
【００３０】
ＤＡＣ２０３は、デジタル処理部３０から受信したデジタルの送信信号を、アナログの送信信号に変換する。送信回路２０４は、ＤＡＣ２０３によってアナログ信号に変換された送信信号に対して、直交変調や高周波帯の周波数へのアップコンバート等の処理を行う。ＰＡ２０５は、電源装置２００から供給された電圧の電源で動作し、送信回路２０４によって処理された送信信号の電力を所定の増幅率で増幅する。本実施例において、ＰＡ２０５は、第１の電圧（例えば＋２８Ｖ〜＋５０Ｖ）の電源で動作するように調整されている。また、本実施例において、ＰＡ２０５は、第１の電圧よりも低い第２の電圧（例えば＋２４Ｖ）で動作することが可能である。
【００３１】
ＤＵＰ２０６は、送信帯域において、ＰＡ２０５によって増幅された送信信号を通過させてアンテナ１６へ出力する。また、ＤＵＰ２０６は、受信帯域において、アンテナ１６を介して受信された信号を通過させてＬＮＡ２０７へ出力する。ＬＮＡ２０７は、ＤＵＰ２０６から出力された受信信号を増幅する。受信回路２０８は、ＬＮＡ２０７によって増幅された受信信号に対して、高周波帯の周波数からベースバンドへのダウンコンバートや直交検波等の処理を行う。ＡＤＣ２０９は、受信回路２０８によって処理されたアナログの受信信号を、デジタルの受信信号に変換してデジタル処理部３０へ出力する。
【００３２】
［基地局システム１０の動作］
図３は、実施例１における基地局システム１０の動作の一例を示すシーケンス図である。図３では、ＢＢＵ１２から送信されたメッセージに応じて、アンテナ制御装置１５がアンテナ１６を制御する処理について示されている。なお、図３に例示したシーケンスの開始前の状態では、ＲＲＨ２０の電源装置２００は、第１の電圧の電源を生成し、生成した第１の電圧の電源をＰＡ２０５に供給している。
【００３３】
まず、ＢＢＵ１２は、アンテナ制御装置１５への電源供給開始を指示するメッセージをＲＲＨ２０へ送信する（Ｓ１００）。ＲＲＨ２０の分離部３２は、ＣＰＲＩ２０２を介して、電源供給開始を指示するメッセージを受信した場合、受信したメッセージを制御部３１へ出力する。制御部３１は、分離部３２から電源供給開始を指示するメッセージを受信した場合、アンテナ制御装置１５への電源供給を開始することなく、ダミーの応答をＣＰＲＩ２０２を介してＢＢＵ１２へ返す（Ｓ１０１）。
【００３４】
次に、ＢＢＵ１２は、アンテナ制御装置１５の制御を指示する制御指示を示すメッセージをＲＲＨ２０へ送信する（Ｓ１０２）。分離部３２は、ＣＰＲＩ２０２を介して、制御指示を示すメッセージを受信した場合、受信したメッセージを制御部３１へ出力する。制御部３１は、分離部３２から制御指示を示すメッセージを受信した場合、電源装置２００に第２の電圧の電源の生成を指示する。電源装置２００は、生成している電源の電圧を第１の電圧から第２の電圧に変更する（Ｓ１０３）。これにより、ＰＡ２０５には、第２の電圧の電源が供給される。
【００３５】
そして、電源装置２００は、生成した第２の電圧の電源を、ＡＩＳＧインターフェイス２０１を介してアンテナ制御装置１５に供給することにより、アンテナ制御装置１５への電源供給を開始する（Ｓ１０４）。そして、制御部３１は、ステップＳ１０２においてＢＢＵ１２から受信した制御指示を示すメッセージを、ＡＩＳＧインターフェイス２０１を介してアンテナ制御装置１５へ送信する（Ｓ１０５）。
【００３６】
アンテナ制御装置１５は、ＲＲＨ２０から受信したメッセージに含まれる制御指示に従って、チルト制御等のアンテナ制御装置１５の制御を実行する（Ｓ１０６）。制御指示に従ったアンテナ１６の制御が完了した場合、アンテナ制御装置１５は、制御指示に対する応答を示すメッセージをＲＲＨ２０へ送信する（Ｓ１０７）。
【００３７】
制御部３１は、アンテナ制御装置１５から送信された応答を示すメッセージをＡＩＳＧインターフェイス２０１を介して受信した場合、電源装置２００にアンテナ制御装置１５への電源供給の停止を指示する。電源装置２００は、ＡＩＳＧインターフェイス２０１を介するアンテナ制御装置１５への電源の供給を停止する（Ｓ１０８）。そして、電源装置２００は、生成している電源の電圧を第２の電圧から第１の電圧に戻す（Ｓ１０９）。これにより、ＰＡ２０５には、第１の電圧の電源が供給される。そして、制御部３１は、アンテナ制御装置１５から受信した応答を示すメッセージを、ＣＰＲＩ２０２を介してＢＢＵ１２へ送信する（Ｓ１１０）。
【００３８】
次に、ＢＢＵ１２は、アンテナ制御装置１５への電源供給停止を指示するメッセージをＲＲＨ２０へ送信する（Ｓ１１１）。分離部３２は、ＣＰＲＩ２０２を介して、電源供給停止を指示するメッセージを受信した場合、受信したメッセージを制御部３１へ出力する。制御部３１は、分離部３２から電源供給停止を指示するメッセージを受信した場合、アンテナ制御装置１５への電源供給を停止する処理を行うことなく、ダミーの応答をＣＰＲＩ２０２を介してＢＢＵ１２へ返す（Ｓ１１２）。
【００３９】
［実施例１の効果］
本実施例のＲＲＨ２０は、アンテナ制御装置１５を動作させる場合に、電源装置２００にアンテナ制御装置１５に供給する第２の電圧の電源を生成させてアンテナ制御装置１５に供給させると共に、ＰＡ２０５を第２の電圧の電源で動作させる。そして、ＲＲＨ２０は、アンテナ制御装置１５の動作が終了した場合に、電源装置２００に第１の電圧の電源を生成させてＰＡ２０５に供給させる。これにより、ＰＡ２０５への電源供給とアンテナ制御装置１５への電源供給とを１つの電源装置２００で実現することができ、ＰＡ２０５とアンテナ制御装置１５とで別々の電源装置を設ける場合に比べてＲＲＨ２０を小型化および軽量化することができる。
【００４０】
また、ＰＡ２０５に供給される電源の電圧が、第１の電圧から第２の電圧に変更された場合、ＰＡ２０５の特性によっては、ＰＡ２０５の利得が低下し、ＰＡ２０５から出力される送信信号の電力が低下する場合がある。そのため、本実施例のＲＲＨ２０は、ＢＢＵ１２からアンテナ制御装置１５への電源供給開始を指示するメッセージが送信された段階では、電源装置２００が生成する電源の電圧を変更しない。そして、制御指示を示すメッセージを受信した段階で、ＲＲＨ２０は、電源装置２００が生成する電源の電圧を変更する。さらに、本実施例のＲＲＨ２０は、アンテナ制御装置１５が制御指示に応じた制御を終了した場合に、ＢＢＵ１２からアンテナ制御装置１５への電源供給停止を指示するメッセージが送信される前に、電源装置２００が生成する電源の電圧を元の電圧に戻す。これにより、ＲＲＨ２０は、ＰＡ２０５に供給される電源電圧が第１の電圧から第２の電圧に低下することによってＰＡ２０５から出力される送信信号の電力が低下する期間を短くすることができる。
【００４１】
また、本実施例のＲＲＨ２０は、ＢＢＵ１２からアンテナ制御装置１５への電源供給開始を指示するメッセージを受信した場合に、電源供給を開始する処理を行うことなくダミーの応答をＢＢＵ１２へ返す。また、本実施例のＲＲＨ２０は、ＢＢＵ１２からアンテナ制御装置１５への電源供給停止を指示するメッセージを受信した場合に、電源供給を停止する処理を行うことなくダミーの応答をＢＢＵ１２へ返す。これにより、ＲＲＨ２０は、既存のＡＩＳＧインターフェイスにおけるメッセージのシーケンスに従って動作することができる。
【実施例２】
【００４２】
実施例２では、電源装置２００が生成する電源電圧を第１の電圧から第２の電圧に低下させることでＰＡ２０５から出力される送信信号の電力が低下する場合に、ＰＡ２０５に入力される送信信号の利得を増加させることで送信信号の電力の低下を抑制する。
【００４３】
［ＲＲＨ２０］
図４は、実施例２におけるＲＲＨ２０の一例を示すブロック図である。本実施例におけるＲＲＨ２０では、デジタル処理部３０内に増幅器３３が設けられる点が、図２を用いて説明した実施例１におけるＲＲＨ２０とは異なる。なお、以下に説明する点を除き、図４において、図２と同じ符号を付したブロックは、図２におけるブロックと同一または同様の機能を有するため説明を省略する。
【００４４】
分離部３２は、ＣＰＲＩ２０２を介してＢＢＵ１２から受信した信号から分離した送信信号を、増幅器３３へ出力する。増幅器３３は、制御部３１からの指示に応じて、分離部３２から出力された送信信号の利得を制御する。
【００４５】
制御部３１は、分離部３２からアンテナ制御装置１５の制御指示を示すメッセージを受け取った場合に、電源装置２００に第２の電圧の電源の生成を指示する。そして、制御部３１は、送信信号の利得の増加を増幅器３３に指示する。そして、制御部３１は、分離部３２から受け取った制御指示を示すメッセージを、ＡＩＳＧインターフェイス２０１を介してアンテナ制御装置１５へ送信する。
【００４６】
なお、制御部３１が増幅器３３に指示する利得は、例えば、ＰＡ２０５が第２の電圧の電源で動作した場合の出力電力を、ＰＡ２０５が第１の電圧の電源で動作した場合の出力電力と同程度まで増加させる利得であることが好ましい。制御部３１が増幅器３３に指示する利得は、ＰＡ２０５が第１の電圧の電源で動作した場合の最大の出力電力や、ＰＡ２０５が第２の電圧の電源で動作した場合の最大の出力電力等に基づいて予め測定された値が用いられる。
【００４７】
また、制御部３１は、ＡＩＳＧインターフェイス２０１を介して、制御指示に応じた制御が終了したことを示す応答メッセージをアンテナ制御装置１５から受信した場合に、電源装置２００にアンテナ制御装置１５への電源供給の停止を指示する。そして、制御部３１は、送信信号の利得を元に戻すよう増幅器３３に指示する。そして、制御部３１は、電源装置２００に第１の電圧の電源の生成を指示する。
【００４８】
図５は、実施例２においてＰＡ２０５から出力された信号のスペクトラムの一例を示す図である。ＰＡ２０５に第１の電圧の電源が供給されている場合、ＰＡ２０５は、例えば図５（ａ）に示すように、例えば電力Ｐ１で信号を送信する。
【００４９】
しかし、ＰＡ２０５に供給される電源の電圧が第１の電圧から第２の電圧に低下すると、ＰＡ２０５の利得が低下し、例えば図５（ｂ）に示すように、ＰＡ２０５から出力される送信信号の電力がＰ１からＰ２に低下する。これにより、ＲＲＨ２０によってカバーされているセルの半径が縮小し、セルエッジに位置する端末装置の通信品質が悪化する。
【００５０】
そこで、本実施例のＲＲＨ２０では、ＰＡ２０５に供給される電源の電圧が第１の電圧から第２の電圧に低下した場合に、ＰＡ２０５に入力される送信信号の利得を増加させる。これにより、ＲＲＨ２０は、ＰＡ２０５から出力される送信信号の電力を、例えば図５（ｃ）に示すように、Ｐ２よりも増加させることができる。これにより、ＲＲＨ２０は、ＰＡ２０５に供給される電源の電圧が第１の電圧から第２の電圧に低下することによる通信への影響を低く抑えることができる。
【００５１】
［基地局システム１０の動作］
図６は、実施例２における基地局システム１０の動作の一例を示すシーケンス図である。なお、以下に説明する点を除き、図６において、図３と同じ符号を付した処理は、図３における処理と同様であるため説明を省略する。
【００５２】
電源装置２００が、電源の電圧を第１の電圧から第２の電圧に変更した場合（Ｓ１０３）、制御部３１は、増幅器３３に送信信号の利得の増加を指示する。増幅器３３は、制御部３１からの指示に応じて、送信信号の利得を増加させる（Ｓ１２０）。これにより、ＰＡ２０５に入力される送信信号の振幅が増加し、ＰＡ２０５に供給される電源電圧の低下に伴う出力の低下が抑えられる。
【００５３】
また、電源装置２００が、アンテナ制御装置１５への電源供給を停止した場合（Ｓ１０８）、制御部３１は、増幅器３３に送信信号の利得を元に戻すように指示する。増幅器３３は、制御部３１からの指示に応じて、送信信号の利得を元に戻す（Ｓ１２１）。
【００５４】
［実施例２の効果］
本実施例のＲＲＨ２０によれば、電源装置２００が生成する電源電圧が第１の電圧から第２の電圧に低下した場合の送信信号の電力の低下を抑制することができる。これにより、ＰＡ２０５に供給される電源の電圧が低下することによる通信への影響を低く抑えることができる。
【実施例３】
【００５５】
実施例３におけるＲＲＨ２０は、ＰＡ２０５から出力された送信信号の電力が所定の電力以下である場合に、ＰＡ２０５の電源電圧を第１の電圧から第２の電圧に低下させる点が実施例１おけるＲＲＨ２０とは異なる。
【００５６】
［ＲＲＨ２０］
図７は、実施例３におけるＲＲＨ２０の一例を示すブロック図である。本実施例におけるＲＲＨ２０は、カプラ２２０、周波数変換回路２２１、およびＡＤＣ２２２を有する。なお、以下に説明する点を除き、図７において、図２と同じ符号を付したブロックは、図２におけるブロックと同一または同様の機能を有するため説明を省略する。
【００５７】
カプラ２２０は、ＰＡ２０５から出力された送信信号の一部を周波数変換回路２２１へフィードバックさせる。周波数変換回路２２１は、カプラ２２０からフィードバックされた高周波帯の周波数の送信信号をベースバンドへダウンコンバートする。ＡＤＣ２２２は、周波数変換回路２２１によってベースバンドにダウコンバートされたアナログの送信信号を、デジタルの送信信号に変換して制御部３１へ出力する。
【００５８】
制御部３１は、分離部３２からアンテナ制御装置１５の制御指示を示すメッセージを受け取った場合に、ＡＤＣ２２２から出力された信号に基づいて、ＰＡ２０５から出力された送信信号の電力を測定する。ここで、通信トラフィックが多くなると、ＰＡ２０５から出力される送信信号の電力が大きくなり、通信トラフィックが少なくなると、ＰＡ２０５から出力される送信信号の電力が小さくなる。
【００５９】
制御部３１は、ＰＡ２０５から出力された送信信号の電力が、所定の電力以下である場合に、電源装置２００に第２の電圧の電源の生成を指示する。所定の電力は、例えば、ＰＡ２０５から出力される送信信号の定格電力からの相対値で与えられる。
【００６０】
［ＲＲＨ２０の動作］
図８は、実施例３のＲＲＨ２０が実行する電源電圧の変更処理の一例を示すフローチャートである。本実施例におけるＲＲＨ２０は、図３に示したシーケンス図におけるＲＲＨ２０と同様に動作する。そして、図８に示すフローチャートは、図３におけるステップＳ１０３の処理を詳細に示したものである。
【００６１】
まず、制御部３１は、分離部３２からアンテナ制御装置１５の制御指示を示すメッセージを受け取った場合に、ＡＤＣ２２２からの出力に基づいて、ＰＡ２０５から出力された送信信号の電力を測定する（Ｓ２００）。そして、制御部３１は、ＰＡ２０５から出力された送信信号の電力が、所定の電力以下か否かを判定する（Ｓ２０１）。
【００６２】
ＰＡ２０５から出力された送信信号の電力が、所定の電力以下である場合（Ｓ２０１：Ｙｅｓ）、制御部３１は、電源装置２００に第２の電圧の電源の生成を指示する。電源装置２００は、生成している電源の電圧を第１の電圧から第２の電圧に変更する（Ｓ２０２）。
【００６３】
一方、ＰＡ２０５から出力された送信信号の電力が、所定の電力より大きい場合（Ｓ２０１：Ｎｏ）、制御部３１は、分離部３２から制御指示を示すメッセージを受け取ってから所定時間が経過したか否かを判定する（Ｓ２０３）。所定時間が経過していない場合（Ｓ２０３：Ｎｏ）、制御部３１は、再びステップＳ２００に示した処理を実行する。一方、所定時間が経過した場合（Ｓ２０３：Ｙｅｓ）、制御部３１は、ステップＳ２０２に示した処理を実行する。
【００６４】
［実施例３の効果］
本実施例のＲＲＨ２０によれば、通信トラフィックが少なく、ＰＡ２０５から出力された送信信号の電力が小さい場合に、ＰＡ２０５に供給される電源電圧を第１の電圧から第２の電圧に低下させる。これにより、ＲＲＨ２０は、ＰＡ２０５の出力低下により通信に影響を受ける端末装置の数を少なくすることができる。
【実施例４】
【００６５】
実施例４におけるＲＲＨ２０は、ＰＡ２０５の電源電圧を第１の電圧から第２の電圧に低下させる場合に、所定時間毎に段階的にＰＡ２０５の電源電圧を低下させる点が実施例１におけるＲＲＨ２０とは異なる。本実施例において、ＲＲＨ２０の構成は、以下に説明する点を除き、図２を用いて説明した実施例１におけるＲＲＨ２０と同様であるため、説明を省略する。
【００６６】
［ＲＲＨ２０の動作］
図９は、実施例４のＲＲＨ２０が実行する電源電圧の変更処理の一例を示すフローチャートである。本実施例におけるＲＲＨ２０は、図３に示したシーケンス図におけるＲＲＨ２０と同様に動作する。そして、図９に示すフローチャートは、図３におけるステップＳ１０３の処理を詳細に示したものである。
【００６７】
まず、制御部３１は、分離部３２からアンテナ制御装置１５の制御指示を示すメッセージを受け取った場合に、電源装置２００が生成する電源の電圧を、所定の電圧分（例えば１Ｖ）下げるように電源装置２００に指示する。電源装置２００は、制御部３１からの指示に応じて、生成する電源電圧を所定の電圧分下げる（Ｓ２１０）。これにより、ＰＡ２０５に供給される電源電圧は、所定の電圧分下がることになる。
【００６８】
次に、制御部３１は、電源電圧を、第１の電圧から所定の電圧分ずつ下げることにより、電源電圧が第２の電圧まで下がったか否かを判定する（Ｓ２１１）。制御部３１は、例えば、所定の電圧の値と、所定の電圧分下げる指示を電源装置２００へ送った回数とに基づいて、電源電圧が第２の電圧まで下がったか否かを判定する。
【００６９】
電源電圧が第２の電圧まで下がった場合（Ｓ２１１：Ｙｅｓ）、ＲＲＨ２０は、本フローチャートに示した動作を終了する。一方、電源電圧が第２の電圧まで下がっていない場合（Ｓ２１１：Ｎｏ）、制御部３１は、所定時間待機し（Ｓ２１２）、再びステップＳ２１０に示した処理を実行する。
【００７０】
このように、所定時間毎に所定電圧ずつ電源電圧を低下させることにより、ＰＡ２０５に供給される電源の電圧は、例えば図１０に示すように変化する。図１０は、実施例４における電源電圧の変化の一例を示す図である。ＰＡ２０５に供給される電源の電圧は、例えば図１０に示すように、所定時間Δｔ毎に、第１の電圧Ｖ１から第２の電圧Ｖ２まで所定電圧ずつ段階的に低下する。これにより、電源の電圧の低下に伴うＰＡ２０５の出力電力の低下が緩やかになり、通信中の端末装置に、より品質の良いセルにハンドオーバする猶予を与えることができる。そのため、通信中の端末装置の通信断を抑制することができる。
【００７１】
なお、制御部３１は、アンテナ制御装置１５によるアンテナ１６の制御の終了後に電源の電圧を第２の電圧Ｖ２から第１の電圧Ｖ１に戻すように指示する場合に、例えば図１０に示すように、所定時間Δｔ毎に所定電圧ずつ段階的に上昇させることが好ましい。これにより、隣接セルへの干渉電波が急激に上昇することによって隣接セルでの端末装置の通信断が発生することを防止することができる。
【００７２】
［実施例４の効果］
本実施例のＲＲＨ２０によれば、ＰＡ２０５の出力電力の低下に伴う端末装置の通信断を抑制することができる。
【実施例５】
【００７３】
実施例５は、ＰＡ２０５の電源電圧を低下させた後に送信信号の利得を増加させる場合に、ＰＡ２０５から出力される送信信号の帯域外不要輻射を監視しながら、帯域外不要輻射が規格値を満たす範囲で送信信号の利得を増加させる点が実施例２とは異なる。
【００７４】
［ＲＲＨ２０］
図１１は、実施例５におけるＲＲＨ２０の一例を示すブロック図である。本実施例におけるＲＲＨ２０は、カプラ２２０、周波数変換回路２２１、およびＡＤＣ２２２を有する。また、本実施例のデジタル処理部３０は、増幅器３３を有する。なお、以下に説明する点を除き、図１１において、図４および図７と同じ符号を付したブロックは、図４および図７におけるブロックと同一または同様の機能を有するため説明を省略する。
【００７５】
制御部３１は、分離部３２からアンテナ制御装置１５の制御指示を示すメッセージを受け取った場合に、電源装置２００が生成する電源の電圧を、所定の電圧分（例えば１Ｖ）下げるように電源装置２００に指示する。そして、制御部３１は、送信信号の利得を所定量増加するよう増幅器３３に指示する。制御部３１が指示する利得の増加量は、例えば、ＰＡ２０５の電源電圧が所定の電圧分下がることによって低下したＰＡ２０５からの送信信号の電力を補うように利得を増加させた場合の利得の増加量に相当する。
【００７６】
次に、制御部３１は、ＡＤＣ２２２から出力された送信信号をＦＦＴ（Fast  Fourier  Transform）変換し、変換後の信号に基づいて、帯域外不要輻射の電力を測定する。そして、帯域外不要輻射の電力が規格値を超えている場合、制御部３１は、送信信号の利得を所定量（例えば０．５ｄＢ）減少させるように増幅器３３に指示する。
【００７７】
［ＲＲＨ２０の動作］
図１２は、実施例５のＲＲＨ２０が実行する電源電圧の変更処理の一例を示すフローチャートである。本実施例におけるＲＲＨ２０は、図３に示したシーケンス図におけるＲＲＨ２０と同様に動作する。そして、図１２に示すフローチャートは、図３におけるステップＳ１０３の処理を詳細に示したものである。
【００７８】
まず、制御部３１は、分離部３２からアンテナ制御装置１５の制御指示を示すメッセージを受け取った場合に、電源装置２００が生成する電源の電圧を、所定の電圧分（例えば１Ｖ）下げるように電源装置２００に指示する。電源装置２００は、制御部３１からの指示に応じて、生成する電源電圧を所定の電圧分下げる（Ｓ２２０）。これにより、ＰＡ２０５に供給される電源電圧は、所定の電圧分下がることになる。
【００７９】
次に、制御部３１は、送信信号の利得を所定量増加するよう増幅器３３に指示する。増幅器３３は、制御部３１からの指示に応じて、送信信号の利得を所定量増加させる（Ｓ２２１）。次に、制御部３１は、ＡＤＣ２２２から出力された送信信号をＦＦＴ変換することにより、帯域外不要輻射の電力を測定する。そして、制御部３１は、帯域外不要輻射の電力が規格値以下か否かを判定する（Ｓ２２２）。
【００８０】
帯域外不要輻射の電力が規格値を超えている場合（Ｓ２２２：Ｎｏ）、制御部３１は、送信信号の利得を所定量減少させるように増幅器３３に指示する。増幅器３３は、制御部３１からの指示に応じて、送信信号の利得を所定量減少させる（Ｓ２２３）。そして、制御部３１は、再びステップＳ２２２に示した処理を実行する。
【００８１】
一方、帯域外不要輻射の電力が規格値以下の場合（Ｓ２２２：Ｙｅｓ）、制御部３１は、電源装置２００が生成する電源電圧が第２の電圧まで下がったか否かを判定する（Ｓ２２４）。電源電圧が第２の電圧まで下がっていない場合（Ｓ２２４：Ｎｏ）、制御部３１は、再びステップＳ２２０に示した処理を実行する。一方、電源電圧が第２の電圧まで下がった場合（Ｓ２２４：Ｙｅｓ）、ＲＲＨ２０は、本フローチャートに示した処理を終了する。
【００８２】
図１３は、実施例５においてＰＡ２０５から出力された信号のスペクトラムの一例を示す図である。ＰＡ２０５に第１の電圧の電源が供給されている場合、ＰＡ２０５は、例えば図１３（ａ）に示すように、所定の電力Ｐ１で送信信号を送信する。ＰＡ２０５は、第１の電圧の電源で動作する場合に、送信信号における帯域外不要輻射５０の電力が規格値Ｐ０を下回るように調整されている。
【００８３】
そして、ＰＡ２０５に供給される電源の電圧が所定電圧低下すると、ＰＡ２０５の利得が低下し、例えば図１３（ｂ）に示すように、ＰＡ２０５から出力される送信信号の電力が低下する。そして、ＰＡ２０５に入力される送信信号の利得を所定量増加させると、例えば図１３（ｃ）に示すように、ＰＡ２０５から出力される送信信号の電力が増加する。しかし、ＰＡ２０５に入力される送信信号の利得を所定量増加させることにより、例えば図１３（ｃ）に示すように、ＰＡ２０５から出力される送信信号における帯域外不要輻射５０の電力が、規格値Ｐ０を超える場合がある。
【００８４】
ＰＡ２０５からの送信信号における帯域外不要輻射５０の電力が規格値Ｐ０を超えた場合、制御部３１は、例えば図１３（ｄ）に示すように、帯域外不要輻射５０の電力が規格値Ｐ０を下回るまで、増幅器３３を制御して送信信号の利得を所定量ずつ減少させる。これにより、ＲＲＨ２０は、帯域外不要輻射５０の電力が規格値Ｐ０を超えない範囲で、ＰＡ２０５から出力される送信信号の電力を増加させることができる。
【００８５】
［実施例５の効果］
本実施例のＲＲＨ２０によれば、ＰＡ２０５から実際に出力された送信信号における帯域外不要輻射５０の電力を監視しながら、帯域外不要輻射５０の電力が規格値Ｐ０を超えない範囲で、ＰＡ２０５から出力される送信信号の電力を増加させることができる。
【実施例６】
【００８６】
実施例６におけるＲＲＨ２０は、ＰＡ２０５の電源電圧を低下させた場合に、ＰＡ２０５の利得を増加させることにより、ＰＡ２０５から出力される送信信号の電力の低下を抑制する点が実施例２におけるＲＲＨ２０とは異なる。
【００８７】
［ＲＲＨ２０］
図１４は、実施例６におけるＲＲＨ２０の一例を示すブロック図である。なお、以下に説明する点を除き、図１４において、図２と同じ符号を付したブロックは、図２におけるブロックと同一または同様の機能を有するため説明を省略する。また、本実施例におけるＲＲＨ２０は、以下に説明する点を除き、図３に示したシーケンス図におけるＲＲＨ２０と同様に動作する。
【００８８】
制御部３１は、分離部３２からアンテナ制御装置１５の制御指示を示すメッセージを受け取った場合に、電源装置２００に第２の電圧の電源の生成を指示する。そして、制御部３１は、ＰＡ２０５のゲート電圧を制御してＰＡ２０５のドレイン電流を増加させることにより、ＰＡ２０５の利得を増加させる。
【００８９】
［実施例６の効果］
本実施例のＲＲＨ２０によれば、電源装置２００が生成する電源電圧が第１の電圧から第２の電圧に低下した場合にＰＡ２０５から出力される送信信号の電力の低下を抑制することができる。これにより、ＰＡ２０５に供給される電源の電圧が低下することによる通信への影響を低く抑えることができる。
【００９０】
ここで、デジタル処理部３０において利得を増加させることでＰＡ２０５から出力される送信信号の電力の低下を補う実施例２の方法は、デジタル処理部３０における送信信号のダイナミックレンジに、電力の上昇方向に余裕がある場合に有効である。しかし、デジタル処理部３０において利得を増加させることにより、送信信号のダイナミックレンジに余裕がなくなると、歪補償や故障監視等の処理に影響が出る場合がある。そのため、デジタル処理部３０では利得を増加させずに、アナログ部（本実施例ではＰＡ２０５）において送信信号を増幅させることが好ましい場合がある。
【００９１】
なお、本実施例のＲＲＨ２０では、ＰＡ２０５の利得を増加させることにより、ＰＡ２０５から出力される送信信号の電力が増加するものの、帯域外不要輻射も増加することが考えられる。そのため、例えば実施例５に示したように、ＰＡ２０５から実際に出力された送信信号に含まれる帯域外不要輻射を監視しながら、帯域外不要輻射の電力が規格値を超えない範囲で、ＰＡ２０５の利得を増加させることが好ましい。
【００９２】
また、本実施例のＲＲＨ２０は、ＰＡ２０５に供給される電源の電圧の低下に伴う送信信号の電力の低下を、ＰＡ２０５の利得を増加させることにより補うが、さらに実施例２に示したように、ＰＡ２０５に入力される送信信号の利得を増加させてもよい。
【実施例７】
【００９３】
実施例７では、それぞれがＰＡ２０５を有する複数の送信部を備えるＲＲＨ２０において、ＰＡ２０５の電源電圧を低下させた場合に、各送信部が備えるＰＡ２０５で増幅した送信信号を合成することにより、送信信号の電力を増加させる点が実施例１とは異なる。
【００９４】
［ＲＲＨ２０］
図１５は、実施例７におけるＲＲＨ２０の一例を示すブロック図である。本実施例におけるＲＲＨ２０は、複数のアンテナ１６−１および１６−２を有し、アンテナ１６−１および１６−２を用いて送信ダイバーシティまたはＭＩＭＯ（Multiple  Input  and  Multiple  Output）送信を行うことができる。なお、図１５では、２本のアンテナ１６を有するＲＲＨ２０が例示されているが、ＲＲＨ２０が有するアンテナ１６の数は、３本以上であってもよい。
【００９５】
ＲＲＨ２０は、送信部２１−１、ＲＲＨ２０−２、分配部２３６、および合成部２３７を有する。送信部２１−１はアンテナ１６−１に接続され、送信部２１−２はアンテナ１６−２に接続されている。なお、図１５に例示したＲＲＨ２０では、主に送信に関連するブロックが図示されており、受信に関連するブロックについては省略されている。また、以下に説明する点を除き、図１５において、図２と同じ符号を付したブロックは、図２におけるブロックと同一または同様の機能を有するため説明を省略する。
【００９６】
送信部２１−１は、ＤＡＣ２０３−１、送信回路２０４−１、ＰＡ２０５−１、ＤＵＰ２０６−１、ＲＦＳＷ２３０、ＲＦＳＷ２３１、ＲＦＳＷ２３２、およびＲＦＳＷ２３３を有する。ＲＦＳＷ２３０は、制御部３１からの指示に応じて、送信回路２０４−１によって処理された送信信号の出力先を、ＲＦＳＷ２３１または分配部２３６のいずれか一方へ切り替える。ＲＦＳＷ２３１は、制御部３１からの指示に応じて、ＲＦＳＷ２３０からの出力または分配部２３６からの出力のいずれか一方をＰＡ２０５−１へ出力する。ＲＦＳＷ２３２は、制御部３１からの指示に応じて、ＰＡ２０５−１によって増幅された送信信号の出力先を、ＲＦＳＷ２３３または合成部２３７のいずれか一方へ切り替える。ＲＦＳＷ２３３は、制御部３１からの指示に応じて、ＲＦＳＷ２３２からの出力または合成部２３７からの出力のいずれか一方をＤＵＰ２０６−１へ出力する。
【００９７】
送信部２１−２は、ＤＡＣ２０３−２、送信回路２０４−２、ＰＡ２０５−２、ＤＵＰ２０６−２、ＲＦＳＷ２３４、およびＲＦＳＷ２３５を有する。ＲＦＳＷ２３４は、制御部３１からの指示に応じて、送信回路２０４−２からの出力または分配部２３６からの出力のいずれか一方をＰＡ２０５−２へ出力する。ＲＦＳＷ２３５は、制御部３１からの指示に応じて、ＰＡ２０５−２によって増幅された送信信号の出力先を、ＤＵＰ２０６−２または合成部２３７のいずれか一方へ切り替える。
【００９８】
分配部２３６は、制御部３１からの指示に応じて、ＲＦＳＷ２３０から出力された送信信号をＲＦＳＷ２３１およびＲＦＳＷ２３４へ分配する。合成部２３７は、制御部３１からの指示に応じて、ＲＦＳＷ２３２から出力された送信信号とＲＦＳＷ２３５から出力された送信信号とを合成してＲＦＳＷ２３３へ出力する。
【００９９】
分離部３２は、ＣＰＲＩ２０２を介してＢＢＵ１２から受信した信号から、送信部２１毎の送信信号と、アンテナ制御装置１５の制御に関するメッセージとを分離する。そして、分離部３２は、アンテナ制御装置１５の制御に関するメッセージを制御部３１へ出力し、送信信号を、それぞれの送信部２１へ出力する。
【０１００】
また、分離部３２は、制御部３１から送信部２１−２を用いた送信の停止を指示された場合に、送信部２１−２への送信信号の出力を停止し、送信部２１−１にのみ送信信号を出力する。これにより、ＲＲＨ２０は、送信ダイバーシティまたはＭＩＭＯの機能を一時的に停止する。
【０１０１】
制御部３１は、分離部３２から制御指示を示すメッセージを受け取った場合、電源装置２００に第２の電圧の電源の生成を指示する。そして、制御部３１は、送信部２１−２を用いた送信の停止を分離部３２に指示する。そして、制御部３１は、送信回路２０４−１によって処理された送信信号の出力先を、ＲＦＳＷ２３１から分配部２３６へ切り替えるようにＲＦＳＷ２３０に指示する。また、制御部３１は、分配部２３６からの出力をＰＡ２０５−１へ出力するようにＲＦＳＷ２３１に指示する。また、制御部３１は、ＰＡ２０５−１によって増幅された信号の出力先を、ＲＦＳＷ２３３から合成部２３７に切り替えるようにＲＦＳＷ２３２に指示する。また、制御部３１は、合成部２３７からの出力をＤＵＰ２０６−１へ出力するようにＲＦＳＷ２３３に指示する。
【０１０２】
また、制御部３１は、分配部２３６からの出力をＰＡ２０５−２へ出力するようにＲＦＳＷ２３４に指示する。また、制御部３１は、ＰＡ２０５−２によって増幅された信号の出力先を、ＤＵＰ２０６−２から合成部２３７に切り替えるようにＲＦＳＷ２３５に指示する。また、制御部３１は、ＲＦＳＷ２３０から出力された送信信号をＲＦＳＷ２３１およびＲＦＳＷ２３４へ分配するように分配部２３６に指示する。また、制御部３１は、ＲＦＳＷ２３２から出力された送信信号とＲＦＳＷ２３５から出力された送信信号とを合成してＲＦＳＷ２３３へ出力するように合成部２３７に指示する。
【０１０３】
これにより、分離部３２から送信部２１−１へ出力された送信信号は、図１５に破線で示したように、送信部２１−１の送信回路２０４−１を介して分配部２３６へ送られ、分配部２３６によって、ＰＡ２０５−１およびＰＡ２０５−２へ送られる。そして、ＰＡ２０５−１およびＰＡ２０５−２によってそれぞれ増幅された信号は、合成部２３７によって合成されてＤＵＰ２０６−１を介してアンテナ１６−１から送信される。このように、１つの送信信号が、複数のＰＡ２０５−１および２０５−２によってそれぞれ増幅されて合成されることにより、１つのＰＡ２０５で増幅された場合よりも送信信号の電力を増加させることができる。
【０１０４】
図１５に例示したＲＲＨ２０では、２つのＰＡ２０５を用いているため、１つのＰＡ２０５を用いた場合よりも送信信号の電力を３ｄＢ増加させることができる。また、４つのＰＡ２０５を用いた場合には、１つのＰＡ２０５を用いた場合よりも送信信号の電力を６ｄＢ増加させることができ、８つのＰＡ２０５を用いた場合には、１つのＰＡ２０５を用いた場合よりも送信信号の電力を９ｄＢ増加させることができる。
【０１０５】
なお、本実施例におけるＲＲＨ２０は、図３に示したシーケンス図におけるＲＲＨ２０と同様に動作する。そして、本実施例におけるＲＲＨ２０は、図３のステップＳ１０３において、ＰＡ２０５の電源電圧を低下させると共に、各送信部２１が備えるＰＡ２０５で増幅した送信信号を合成することにより、送信信号の電力を増加させる。
【０１０６】
［実施例７の効果］
本実施例のＲＲＨ２０によれば、電源装置２００が生成する電源電圧が第１の電圧から第２の電圧に低下した場合にＰＡ２０５から出力された送信信号の電力の低下を抑制することができる。これにより、ＰＡ２０５に供給される電源の電圧が低下することによる通信への影響を低く抑えることができる。
【０１０７】
［その他］
上記した実施例３において、ＲＲＨ２０は、ＰＡ２０５の電源電圧を第１の電圧から第２の電圧に低下させた場合に、さらに、実施例２、実施例６、または実施例７と同様の方法で、送信信号の電力を増加させてもよい。また、上記した実施例３において、ＲＲＨ２０は、ＰＡ２０５の電源電圧を第１の電圧から第２の電圧に低下させる際に、さらに、実施例５と同様の方法で、送信信号の電力を増加させてもよい。
【０１０８】
また、上記した実施例４において、ＲＲＨ２０は、ＰＡ２０５の電源電圧を第１の電圧から第２の電圧に段階的に低下させた後に、さらに、実施例２、実施例６、または実施例７と同様の方法で、送信信号の電力を増加させてもよい。また、上記した実施例４において、ＲＲＨ２０は、ＰＡ２０５の電源電圧を第１の電圧から第２の電圧に段階的に低下させる各段階において、さらに、実施例５と同様の方法で、送信信号の電力を増加させてもよい。
【０１０９】
また、ＰＡ２０５の種類によっては、電源電圧が第２の電圧に低下しても、第１の電圧の電源が供給された場合とほとんど変わらない特性となるものも存在する。このように、ＰＡ２０５の種類によっては、実施例１から実施例７のいずれの制御を適用するかが異なる場合がある。そのため、第１の電圧毎に制御方法を対応付けた情報を、ＲＲＨ２０内の不揮発性メモリに予め記憶させる。そして、ＲＲＨ２０の起動時に、制御部３１は、ＰＡ２０５に供給されている第１の電圧を測定し、測定した電圧に対応する制御方法を不揮発性メモリから読み出して実行するようにしてもよい。これにより、ＲＲＨ２０に搭載される制御プログラムを共通化することができる。
【０１１０】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得る。
【符号の説明】
【０１１１】
１５  アンテナ制御装置
１６  アンテナ
２０  ＲＲＨ
２１  送信部
２００  電源装置
２０１  ＡＩＳＧインターフェイス
２０２  ＣＰＲＩ
２０３  ＤＡＣ
２０４  送信回路
２０５  ＰＡ
２０６  ＤＵＰ
２０７  ＬＮＡ
２０８  受信回路
２０９  ＡＤＣ
３０  デジタル処理部
３１  制御部
３２  分離部
【図１】
2016225921.tif 000003
【図２】
2016225921.tif 000004
【図３】
2016225921.tif 000005
【図４】
2016225921.tif 000006
【図５】
2016225921.tif 000007
【図６】
2016225921.tif 000008
【図７】
2016225921.tif 000009
【図８】
2016225921.tif 000010
【図９】
2016225921.tif 000011
【図１０】
2016225921.tif 000012
【図１１】
2016225921.tif 000013
【図１２】
2016225921.tif 000014
【図１３】
2016225921.tif 000015
【図１４】
2016225921.tif 000016
【図１５】
2016225921.tif 000017